(57)【要約】【課題】物品の種類に応じて様々な情報を提供することができる情報提供システム、物品カバーおよび物品を提供する。【解決手段】ボックス用カバー５の表面にはティッシュボックス４のケース種別、デザインを識別可能な物品識別情報を表す識別情報部４０が設けられており、スマートフォン３は、ボックス用カバー５の表面に設けられた識別情報部４０を読取部３１によって読み取ると共に、識別情報記憶部を参照して該当するティッシュボックス４のケース種別、デザインを特定し、特定されたケース種別、デザインに対応したティッシュボックス４に関連する情報をコンテンツ提供サーバ２へ要求して取得し、その取得したコンテンツをディスプレイに表示させる。【選択図】図１
2015127892.tif 000002
【特許請求の範囲】
【請求項１】
物品に関連する情報を記憶する関連情報記憶部と、前記関連情報記憶部を参照して外部からの取得要求に応じた前記物品に関連する情報を取得要求元に提供する情報提供装置と、
前記物品に関連する情報を表示する表示部を有する情報表示端末と、
前記情報表示端末を内部に配置させることが可能であると共に、その配置された前記情報表示端末の前記表示部の表示画面を外部から視認可能な表示窓を有する物品カバーと、を有し、
前記物品カバーの表面には前記物品のケース種別、デザインを識別可能な物品識別情報を表す識別情報部が設けられており、
前記情報表示端末は、
前記物品カバーの表面に設けられた前記識別情報部を読み取り可能な読取部と、
前記物品のケース種別、デザインを識別する物品識別情報を記憶する識別情報記憶部と、
前記物品カバーの表面に設けられた前記識別情報部を前記情報表示端末の読取部によって読み取ると共に、前記識別情報記憶部を参照して該当する前記物品のケース種別、デザインを特定するデザイン特定部と、
前記情報提供装置との通信を制御する通信部と、
前記通信部を介して、前記デザイン特定部により特定されたケース種別、デザインに対応した前記物品に関連する情報を前記情報提供装置へ要求して取得する情報取得制御部と、
前記情報取得制御部が前記情報提供装置から取得した前記物品に関連する情報を前記表示部に表示させる情報表示制御部と
を有することを特徴とする情報提供システム。
【請求項２】
請求項１記載の情報提供システムであって、
前記情報提供装置は、
前記物品に関連する情報として前記物品の広告データを提供するものであり、
前記情報表示端末の前記情報取得制御部は、
前記通信部を介して、前記デザイン特定部により特定されたケース種別、デザインに対応した前記物品の広告データを前記情報提供装置へ要求して取得し、
前記情報表示制御部は、
前記情報取得制御部が前記情報提供装置から取得した前記物品の広告データを前記表示部に表示させる
ことを特徴とする情報提供システム。
【請求項３】
請求項１または２に記載の情報提供システムの一部を構成する物品カバーであって、
前記物品カバーの表面に表示される識別情報部は、ＱＲコード（登録商標）をカラーで表したものであり、
前記物品カバーにおいて重畳される部分のデザインと同様の着色、もしくは読取部でデコード可能となる範囲内のコントラストを有するように着色がなされている
ことを特徴とする物品カバー。
【請求項４】
請求項１または２に記載の情報提供システムの一部を構成する物品カバーであって、
前記物品カバーの表面に表示される識別情報部は、ＱＲコード（登録商標）をカラーで表したものであり、
前記ＱＲコード（登録商標）の複数のセル部分、または複数のセル以外の部分のいずれかを透過させることにより前記物品カバー表面のデザインの画像データの色を透過するように調整されている
ことを特徴とする物品カバー。
【請求項５】
請求項１または２に記載の情報提供システムの一部を構成する物品カバーによって保持される物品。
【発明の詳細な説明】
【技術分野】
【０００１】
本発明は、情報提供システム、物品カバーおよび物品に関する。
【背景技術】
【０００２】
ティッシュボックスは、一般に、そのままカバーを被せないで利用される場合もあるが、布製やプラスチック製のカバーを被せて利用されることも多い。このようなティッシュボックス用のカバーには、たとえば特許文献１に開示のものがある。特許文献１には、カバー本体の側面に、ＰＯＰ表示欄が設けられていて、そのＰＯＰ表示欄を利用して、宣伝広告効果を発揮させるものとしている。
【先行技術文献】
【特許文献】
【０００３】
【特許文献１】実用新案登録第３１３８３５４号公報
【発明の概要】
【発明が解決しようとする課題】
【０００４】
ところで、特許文献１に開示のティッシュボックス用のカバーでは、印刷する等の手法によって、ＰＯＰ表示欄に広告が設けられている。しかしながら、その場合には、ＰＯＰ表示欄に固定的な広告が表示されるのみである。そのため、表示するコンテンツに変化を持たせることはできない。
【０００５】
本発明は上記の事情にもとづきなされたもので、その目的とするところは、物品の種類に応じて様々な情報を提供することができる情報提供システム、物品カバーおよび物品を提供しよう、とするものである。
【課題を解決するための手段】
【０００６】
上記課題を解決するために、本発明の第１の観点によると、物品に関連する情報を記憶する関連情報記憶部と、関連情報記憶部を参照して外部からの取得要求に応じた物品に関連する情報を取得要求元に提供する情報提供装置と、物品に関連する情報を表示する表示部を有する情報表示端末と、情報表示端末を内部に配置させることが可能であると共に、その配置された情報表示端末の表示部の表示画面を外部から視認可能な表示窓を有する物品カバーと、を有し、物品カバーの表面には物品のケース種別、デザインを識別可能な物品識別情報を表す識別情報部が設けられており、情報表示端末は、物品カバーの表面に設けられた識別情報部を読み取り可能な読取部と、物品のケース種別、デザインを識別する物品識別情報を記憶する識別情報記憶部と、物品カバーの表面に設けられた識別情報部を情報表示端末の読取部によって読み取ると共に、識別情報記憶部を参照して該当する物品のケース種別、デザインを特定するデザイン特定部と、情報提供装置との通信を制御する通信部と、通信部を介して、デザイン特定部により特定されたケース種別、デザインに対応した物品に関連する情報を情報提供装置へ要求して取得する情報取得制御部と、情報取得制御部が情報提供装置から取得した物品に関連する情報を表示部に表示させる情報表示制御部とを有する情報提供システムである。
【０００７】
また、本発明の他の側面は、上述の発明において、請求項１記載の情報提供システムであって、情報提供装置は、物品に関連する情報として物品の広告データを提供するものであり、情報表示端末の情報取得制御部は、通信部を介して、デザイン特定部により特定されたケース種別、デザインに対応した物品の広告データを情報提供装置へ要求して取得し、情報表示制御部は、情報取得制御部が情報提供装置から取得した物品の広告データを表示部に表示させることが好ましい。
【０００８】
さらに、本発明の他の観点は、上述した情報提供システムの一部を構成する物品カバーであって、物品カバーの表面に表示される識別情報部は、ＱＲコード（登録商標）をカラーで表したものであり、物品カバーにおいて重畳される部分のデザインと同様の着色、もしくは読取部でデコード可能となる範囲内のコントラストを有するように着色がなされていることを特徴とする。
【０００９】
さらに、本発明の他の観点は、上述した情報提供システムの一部を構成する物品カバーであって、物品カバーの表面に表示される識別情報部は、ＱＲコード（登録商標）をカラーで表したものであり、ＱＲコード（登録商標）の複数のセル部分、または複数のセル以外の部分のいずれかを透過させることにより物品カバー表面のデザインの画像データの色を透過するように調整されていることを特徴とする。
【００１０】
さらに、本発明の他の観点は、上述の情報提供システムの一部を構成する物品カバーによって保持される物品である。
【発明の効果】
【００１１】
本発明によると、物品の種類に応じて様々な情報を提供することができる情報提供システム、物品カバーおよび物品を提供することができる。
【図面の簡単な説明】
【００１２】
【図１】本発明の一実施の形態に係る情報提供システム１の概要を示すブロック図である。
【図２】図１に示すスマートフォン３の機能的構成を示すブロック図である。
【図３】ティッシュボックス４用のボックス用カバー５を示す斜視図である。
【図４】図１のボックス用カバー５の内部空間Ｐに配置されるティッシュボックス４とスマートフォン３とを示す斜視図である。
【図５】図１のボックス用カバー５の内部空間Ｐに、ティッシュボックス４とスマートフォン３とを配置した状態を示す斜視図である。
【図６】ボックス用カバー５の別の構成例を底面部側から見た示す斜視図であり、底面部を省略した状態を示している。
【図７】ボックス用カバー５の表面に印刷されたカラーＱＲコードＱ１の一例を示した図である。
【発明を実施するための形態】
【００１３】
以下、本発明の一実施の形態に係る情報提供システム、物品カバーおよび物品について説明する。しかしながら、本発明は、以下に説明する実施の形態に限定されるものではない。
【００１４】
（情報提供システム１の概要）
図１は、本発明の一実施の形態に係る情報提供システム１の概要を示すブロック図である。情報提供システム１は、コンテンツ提供サーバ２と、スマートフォン３と、ティッシュボックス４およびティッシュボックス４用のボックス用カバー５から構成される。また、コンテンツ提供サーバ２とスマートフォン３とはネットワーク６で相互に通信可能に構成されている。なお、ネットワーク６は、たとえばＬＡＮ（Local Area Network），ＷＡＮ（Wide Area Network），無線通信網，携帯電話網，インターネット網などの通信媒体のいずれかの通信媒体、またはこれらの複数の通信媒体により構成される。
【００１５】
この情報提供システム１では、ボックス用カバー５に設けられた後述の識別情報部４０をスマートフォン３の読取部３１により読み取ることによって、ティッシュボックス４に関連するコンテンツをスマートフォン３から出力することができるように構成されている。これにより、ティッシュボックス４に関連する様々なコンテンツ（たとえば、ティッシュボックス４に関連する商品、サービスを紹介する広告コンテンツ）を、ティッシュボックス４に近接した位置に配信することができるというものである。以下、具体的な構成について説明する。
【００１６】
コンテンツ提供サーバ２は、情報提供装置の一例であり、ティッシュボックス４に関連する情報を記憶する関連情報記憶部２１を少なくとも有している。コンテンツ提供サーバ２は、この関連情報記憶部２１を参照して外部からの取得要求に応じたティッシュボックス４に関連する情報を取得要求元に提供することができるサーバコンピュータである。なお、コンテンツ提供サーバ２は、たとえばＣＰＵ（Central Processing Unit），ＲＡＭ（Random Access Memory），ＲＯＭ（Read Only Memory），ＨＤＤ（Hard Disk Drive）、ＳＳＤ（Flash Solid State Drive）を有すると共に、このＲＯＭ，ＨＤＤあるいはＳＳＤなどの記録媒体に格納されたプログラムをＲＡＭにロードしてＣＰＵで実行することにより各種データ処理を実行することができる。
【００１７】
関連情報記憶部２１には、ティッシュボックス４に関連する様々なコンテンツが格納されている。このコンテンツは、動画データ、静止画像データ、音声データのいずれであってもよい。なお、本実施例のコンテンツとしてはティッシュボックス４のケース種別、デザインに応じた複数の広告コンテンツが格納されているものとする。
【００１８】
スマートフォン３は、情報表示端末の一例であり、ボックス用カバー５に設けられた後述の識別情報部４０を読み取ることができるカメラ装置などで構成される読取部３１を有している。スマートフォン３は、ハードウェア構成としては、たとえばＣＰＵ，ＧＰＵ，メモリコントローラ、周辺デバイスコントローラ、ディスプレイコントローラなどで構成されるアプリケーションプロセッサと、モデム（ベースバンド）と、無線部と、電源と、オーディオＬＳＩと，メモリと、カメラ装置とディスプレイなどで構成される。スマートフォン３ではアプリケーションプロセッサがメモリに格納されたプログラムをＲＡＭにロードして実行することで各種データ処理を実行することができる。なお、本発明の情報表示端末としてはスマートフォン３に限定されるものではなく、タブレットＰＣや携帯電話などであってもよい。
【００１９】
図２は、図１に示すスマートフォン３の機能的構成を示すブロック図である。図２に示すように、識別情報記憶部３３と、デザイン特定部３４と、通信部３５と、情報取得制御部３６と、情報出力制御部３７とを有している。
【００２０】
識別情報記憶部３３は、ティッシュボックス４のケース種別を示す識別情報、デザインを示す識別情報を複数記憶している。
【００２１】
デザイン特定部３４は、ティッシュボックス４の表面に設けられている後述の識別情報部４０から読取部３１により読み取られた識別情報に基づいて識別情報記憶部３３を参照してティッシュボックス４のケース種別、デザインを特定する。
【００２２】
通信部３５は、コンテンツ提供サーバ２との通信（セッション）を確立する。
【００２３】
情報取得制御部３６は、デザイン特定部３４にて特定されたティッシュボックス４のケース種別、デザインの識別情報に基づいてコンテンツ提供サーバ２から、これらの識別情報に対応する広告コンテンツデータを取得する。
【００２４】
情報出力制御部３７は、情報取得制御部３６によりコンテンツ提供サーバ２から取得した広告コンテンツデータをディスプレイなどに出力させる。なお、広告コンテンツデータが動画データ、静止画像データの場合には、ディスプレイに表示させるが、音声データの場合には再生する。
【００２５】
ティッシュボックス４は、物品の一例であり、ティッシュを格納するための箱である。なお、本発明の物品は、ティッシュボックス４に限定されるものではない。本発明の物品としてはその他にもティッシュボックス４以外の商品パッケージ、テレビ台、水槽、虫かご、化粧台などであってもよく、その場合には、後述するボックス用カバー５はその物品に適した形状として構成される。また、本発明の物品としては、箱型形状に限定される訳ではなく、その他の形状（たとえば円柱状、三角柱形状など）であってもよい。また、表示窓２０を設けないで、ティッシュボックス４のような箱の形状の表面の一部に切り欠き部（不図示）を設けて、その切り欠き部にスマートフォン４を嵌め込めるような構成としてもよい。
【００２６】
ボックス用カバー５は、たとえば板紙のように、箱状を維持可能な強度を有する素材から形成されている。なお、板紙からボックス用カバー５が形成される場合には、環境負荷を低くできる、というメリットがある。しかしながら、ボックス用カバー５は、たとえば樹脂等のような板紙以外の素材から形成されていてもよい。なお、図示していないが、ボックス用カバー５の表面の全部または一部は、何らかのデザインが施されている場合がある。
【００２７】
図３は、ボックス用カバー５の構成を示す斜視図である。図３に示すように、ボックス用カバー５は、箱型形状に設けられていて、天面部１１、底面部１２、外周側面部１３〜１６を有している。外周側面部１３〜１６には、ボックス用カバー５の長手方向を長手とする長手側面部１３，１４と、ボックス用カバー５の短手方向を長手とする短手側面部１５，１６とが設けられている。なお、ボックス用カバー５は、必ずしも６面を有する構成には限られない。たとえば底面部１２を有しない構成を採用してもよく、２つの短手側面部１５，１６のうちの少なくとも１つを有しない構成を採用してもよい。
【００２８】
図４は、内部空間Ｐに配置されるティッシュボックス４とスマートフォン３とを示す斜視図である。また、図５は、ボックス用カバー５の内部空間Ｐに、ティッシュボックス４とスマートフォン３とを配置した状態を示す斜視図である。図３に示すように、ボックス用カバー５の内部空間Ｐには、図４に示すようなティッシュボックス４が配置される。そのため、ボックス用カバー５の天面部１１には、内部空間Ｐに配置されたティッシュボックス４から引き出されたティッシュを取り出すための取出口１７が設けられている。
【００２９】
ここで、内部空間Ｐには、ティッシュボックス４以外に、スマートフォン３も配置される。かかるスマートフォン３が配置される位置は、図５に示すように、ティッシュボックス４と長手側面部１３の間となっている。すなわち、スマートフォン３は、ティッシュボックス４と長手側面部１３との間で挟持された状態で配置されている。
【００３０】
ここでいう挟持には、ティッシュボックス４と長手側面部１３との両方に接触してスマートフォン３に圧力が負荷される状態であってもよいが、スマートフォン３とこれらの間に若干の隙間が存在する状態であってもよい。すなわち、ティッシュボックス４が内部空間Ｐに存在する場合にスマートフォン３が内部空間Ｐ内で倒れなければ、どのように配置されていてもよい。
【００３１】
また、長手側面部１３には、表示窓２０が設けられている。表示窓２０は、長手側面部１３を切り欠くことにより構成されている。この表示窓２０は、内部空間Ｐに配置されたスマートフォン３の表示画面３ａを視認するための部分である。また、表示窓２０は、タッチパネル式の表示画面３ａに触れて操作したり、操作ボタン３ｂを押し込んで操作するための部分でもある。なお、図３では、長手側面部１３のみに表示窓２０が設けられた構成が示されている。しかしながら、表示窓２０は、長手側面部１４に設ける構成としてもよく、長手側面部１３と長手側面部１４の両方に設ける構成としてもよい。
【００３２】
ところで、図３に示すようなボックス用カバー５の構成においては、ティッシュボックス４が内部空間Ｐに存在しない場合、スマートフォン３が内部空間Ｐの内部で倒れてしまう虞がある。このようなスマートフォン３が倒れてしまう場合に対応させた構成が図６に示すものである。図６は、ボックス用カバー５の別の構成例を示す斜視図であるが、底面部１２を省略した状態を図示したものである。
【００３３】
図６に示す構成では、ボックス用カバー５は、長手側面部１３とは別途に、支持壁部１８を設ける構成を採用している。支持壁部１８は、長手側面部１４よりも長手側面部１３に近接して対向する状態に設けられていて、この支持壁部１８と長手側面部１３との間に、スマートフォン３を挟み込む。それにより、ティッシュボックス４が存在しない場合でも、スマートフォン３が内部空間Ｐの中央側に向かい倒れるのを防止する。なお、スマートフォン３が倒れるのを防止するために、支持壁部１８は、長手側面部１３に対して近接した状態で対向している。なお、支持壁部１８は、長手側面部１３以外に、長手側面部１４と近接して対向する状態に設けられていてもよく、長手側面部１３と長手側面部１４の両方に近接して対向する状態に設けられていてもよい。
【００３４】
ここで、ボックス用カバー５のいずれかの部位（図の例だと表示窓２０が設けられている部位）には、ＱＲコード（登録商標）やバーコード等のような識別情報部４０が設けられている。スマートフォン３の読取部３１を作動させて、識別情報部４０を読み取らせると、その識別情報部４０が示す情報をスマートフォン３が認識することができる。たとえば、識別情報部４０がＵＲＬ（Uniform Resource Locator）を表す場合には、スマートフォン３がネットワークを介して情報を受信することにより、そのＵＲＬが指し示す情報を表示させることができる。そのような情報としては、たとえば、広告宣伝用の動画、静止画等といったコンテンツが挙げられる。なお、識別情報部４０が設けられている箇所は図１，３，５に示すように表示窓２０が設けられている部位でなくてもよい。
【００３５】
なお、識別情報部４０は、ボックス用カバー５に設ける構成には限られない。たとえば、ティッシュボックス４に識別情報部４０を設ける構成とすることも可能である。
【００３６】
＜動作（使用方法）について＞
以上のような構成のボックス用カバー５を用いる場合、先ず、ユーザは、識別情報部４０を、スマートフォン３の読取部３１で読み取らせる。すると、スマートフォン３に予めインストールされているアプリケーションにより、その識別情報部４０からティッシュボックス４のケース種別、デザインを識別する情報を読み取ると共に、関連情報記憶部２１を参照して対応する広告コンテンツを特定する。そして、スマートフォン３がネットワーク６を介して広告コンテンツをコンテンツ提供サーバ２から取得することにより、表示画面３ａに、対応する情報を表示させることができる。たとえば、広告宣伝用の動画や静止画といったコンテンツを表示させることができる。
【００３７】
そのような識別情報部４０を読み取るのに前後して、ユーザは、ティッシュボックス４を内部空間Ｐに配置する。その後に、ティッシュボックス４と長手側面部１３との間にスマートフォン３を配置する。そして、スマートフォン３は、内部空間Ｐの中央に向かって倒れるのが阻止された状態となる。また、スマートフォン３の表示画面３ａは、表示窓２０を介して視認可能となる。
【００３８】
以後は、その表示窓２０を介して、タッチパネル式の表示画面３ａに触れて操作したり、操作ボタン３ｂを押し込んで操作することが可能となる。
【００３９】
＜効果について＞
以上のような構成の情報提供システム１によると、ティッシュボックス４に関連する情報を記憶する関連情報記憶部２１を参照して外部からの取得要求に応じたティッシュボックス４に関連する情報を取得要求元に提供するコンテンツ提供サーバ２と、ティッシュボックス４に関連する情報を表示するディスプレイを有するスマートフォン３と、スマートフォン３を内部に配置させることが可能であると共に、その配置されたスマートフォン３のディスプレイの表示画面を外部から視認可能な表示窓２０を有するボックス用カバー５とを有しており、ボックス用カバー５の表面にはティッシュボックス４のケース種別、デザインを識別可能な物品識別情報を表す識別情報部４０が設けられており、スマートフォン３は、ボックス用カバー５の表面に設けられた識別情報部４０を読取部３１によって読み取ると共に、識別情報記憶部３３を参照して該当するティッシュボックス４のケース種別、デザインを特定し、特定されたケース種別、デザインに対応したティッシュボックス４に関連する情報をコンテンツ提供サーバ２へ要求して取得し、その取得したコンテンツをディスプレイに表示させることができる。これにより、ティッシュボックス４の種類に応じて様々な情報を提供することができる。
【００４０】
また、コンテンツ提供サーバ２は、ティッシュボックス４に関連する情報としてティッシュボックス４の広告データを提供するものであり、スマートフォン３の情報取得制御部３６は、通信部３５を介して、デザイン特定部３４により特定されたケース種別、デザインに対応した物品の広告データをコンテンツ提供サーバ２へ要求して取得し、情報表示制御部３７は、情報取得制御部３６がコンテンツ提供サーバ２から取得した物品の広告データをディスプレイに表示させることができる。これにより、ティッシュボックス４の種類に応じてティッシュボックス４に関連する様々な広告情報を提供することができる。
【００４１】
また、このティッシュボックス４は、ボックス用カバー５の内部空間Ｐに配置されるスマートフォン３によって関連する様々な広告情報あるいはその他の情報を出力させることができる。
【００４２】
また、他の観点から説明すると、上述のボックス用カバー５は、長手側面部１３には、表示窓２０が設けられている。また、内部空間Ｐには、ティッシュボックス４を配置することが可能であると共に、そのティッシュボックス４と長手側面部１３の間には、スマートフォン３を配置させることが可能であり、長手側面部１３の表示窓２０を介して、スマートフォン３の表示画面３ａを視認することができる。そのため、ボックス用カバー５を用いる場合、スマートフォン３を利用して、広告宣伝用の動画や静止画といったコンテンツを視認することが可能となる。そのため、従来のような、ＰＯＰ表示欄に固定的な広告を印刷等する場合と比較して、ユーザは、視認対象が変化する動的な広告を手軽に視認することが可能となる。
【００４３】
また、ユーザは、ボックス用カバー５をスマートフォン３のスタンド代わりに利用することが可能となる。そのため、部屋に置かれたティッシュボックス４を覆うボックス用カバー５を用いて、スマートフォン３で表示される種々の情報を視認することができる。また、ユーザは、ボックス用カバー５を用いて、たとえばフォトフレーム的に、スマートフォン３を利用することも可能となる。
【００４４】
また、本実施の形態では、ボックス用カバー５には、識別情報部４０が設けられている。しかも、この識別情報部４０は、ＵＲＬ（Uniform Resource Locator）を表すことが可能である。このため、識別情報部４０をスマートフォン３の読取部３１で読み取らせることにより、その識別情報部４０が示す情報をスマートフォン３で認識させることができる。そして、スマートフォン３がネットワーク６を介して情報を受信することにより、そのＵＲＬが指し示す情報を表示させることができる。そのため、その識別情報部４０が広告宣伝用の動画や静止画といったコンテンツに関するＵＲＬを表す場合には、スマートフォン３の読取部３１で識別情報部４０を読み取らせるだけで、広告宣伝用の動画や静止画を、ユーザに視認させることができる。
【００４５】
それにより、ユーザに対する、広告宣伝効果を高めることが可能となる。
【００４６】
さらに、本実施の形態では、図６に示すように、ボックス用カバー５には、支持壁部１８を設けるように構成することもできる。この場合、ティッシュボックス４が内部空間Ｐに存在しない状態でも、スマートフォン３が内部空間Ｐの中心側に向かって倒れるのを防止可能となる。それにより、ボックス用カバー５の利便性を一層向上させることが可能となる。
【００４７】
＜変形例＞
以上、本発明の各実施の形態について説明したが、本発明はこれ以外にも種々変形可能となっている。以下、それについて述べる。
【００４８】
上述の実施の形態では、表示窓２０は、外周側面部としての長手側面部１３，１４に設けられる場合について説明している。しかしながら、表示窓２０は、外周側面部としての短手側面部１５，１６に設けられる構成を採用してもよい。
【００４９】
また、上述の実施の形態においては、情報表示端末としてスマートフォン３を用いた場合を図示している。しかしながら、情報表示端末として、スマートフォン３よりも大型のタブレット端末を用いる場合、ボックス用カバー５の天面部１１や短手側面部１５，１６に、タブレット端末を飛び出させるための孔部分を設けるようにしてもよい。
【００５０】
また、ボックス用カバー５には、スマートフォン３に接続される各種のコード等を挿通させるための孔部分を、別途設けるようにしてもよい。たとえば、電源用のコードを孔部分に挿通させる場合には、スマートフォン３の充電を行うことが可能となるので、バッテリの消耗によって広告宣伝用のコンテンツが視認できない、といった不具合を防止可能となる。
【００５１】
また、上述の実施の形態のボックス用カバー５では、スマートフォン３のスピーカから出力される音を外部に出力させるための、出力孔を設けるようにしてもよい。出力孔は、長手側面部１３，１４に設ける構成としてもよく、長手側面部１３，１４に設けずに短手側面部１５，１６に設ける構成としてもよく、天面部１１に設ける構成としてもよい。また、特にボックス用カバー５に支持壁部１８を設ける場合、音を出力させる通路が内部空間Ｐに形成されている、と見立てることもでき、その場合には、音響的な効果を高めることも可能となる。
【００５２】
また、表示窓２０は、長手側面部１３，１４を切り欠いて構成する場合のみならず、透明フィルム等のような透明部材を貼り付ける等して、形成してもよい。なお、かかる表示窓２０を透明部材から形成する場合には、スマートフォン３に触れての操作が難しくなるので、スマートフォン３に触れて操作することを可能とするために、表示窓２０の一部のみを透明部材で形成するようにしてもよい。
【００５３】
また、上述の実施の形態のコンテンツ提供サーバ２およびスマートフォン３では、予めコンテンツ提供サーバ２の関連情報記憶部２１に記憶されているコンテンツデータを配信するものとしていたが、その他にもユーザがテンプレートデザインに基づいたオリジナルデザインを作成することができる機能を有するようにしてもよい。その場合、スマートフォン３は、デザイン特定部３４により特定されたケース種別、デザインに対応した広告のデザインテンプレートデータを情報取得制御部３６によりコンテンツ提供サーバ２から取得し、その取得したデザインテンプレートデータに基づいてオリジナルデザインデータを作成することが可能なデザイン編集制御部（不図示）と、このデザイン編集制御部で作成されたオリジナルデザインデータをディスプレイに表示させるデザイン表示制御部（不図示）とを有するように構成すればよい。これにより、たとえば、ユーザはオリジナルデザインを作成でき、手元のプリンタで印刷して、ティッシュボックス４のデザインがなされているデザイン面に貼ることができる。また、オリジナルデザインデータがＧＩＦデータなどであれば、アニメーションとしても作成することができ、スマートフォン３により再生させることができる。なお、ユーザが自由に加工、編集できるデータとしては、様々なものが考えられる。たとえば、画像素材としては、コンテンツ提供サーバ２を管理する会社が無償で提供するフリー素材のデータ、ユーザ自らが取った写真データ、文字メッセージなどを示すテキストデータ、簡単な図形データ、メーカ宣伝用コンテンツからダウンロードした「動くキャラ」データなどがある。また、音声素材としては、著作使用料が無償である楽曲データ、文字入力によって生成される音声合成データ、録音により生成された録音データなどである。また、ユーザが作成したオリジナルコンテンツデータは、スマートフォン３のメール送信機能（不図示）により友人に送信することにより、その友人に贈ることもできる。また、このようなオリジナルデザインＷｅｂページ上などで第三者にも公開する機能（不図示）をコンテンツ提供サーバ２あるいは別のサーバによって構築し、その公開したオリジナルデザインが気に入った場合にはそのＷｅｂページ上に配置された「いいね」ボタンなどが押下された回数などにより投票させることで、人気度を競わせるようにすることができる。そして、このような形で投票された人気があるオリジナルデザインについては、ボックス用カバー５のデザインとして正式に採用して商品化し、店頭販売につなげるようなこともできる。
【００５４】
また、上述の実施の形態のボックス用カバー５に設けられた識別情報部４０は、通常のＱＲコード（登録商標）として説明したが、ＱＲコード（登録商標）をカラーで表したもの（以下、「カラーＱＲコード」という）とすると共に、このカラーＱＲコードを、ボックス用カバー５の表面に施されている何らかのデザインと重畳される部分のデザインと同様の着色、もしくは読取部３１でデコード可能となる範囲内のコントラストを有するように着色がなされているものであってもよい。あるいは、カラーＱＲコードの複数のセル部分、または複数のセル以外の部分のいずれかを透過させることによりボックス用カバー５の表面に施されているデザインの画像データの色を透過するように調整するようにしてもよい。これらのいずれの方法であっても、通常のＱＲコードのように、背景となるデザイン画像と重畳させた場合にＱＲコードの周囲を覆う白い部分が目立ってしまうなどのデメリットが解消されると共に、ボックス用カバー５の表面のデザインを大きく損ねることが軽減される。
【００５５】
図７は、ボックス用カバー５の表面に印刷されたカラーＱＲコードＱ１の一例を示した図である。図７に示すように、カラーＱＲコードＱ１のデータ領域内には、複数のセルＣと、３つの切り出しシンボルＳ１，Ｓ２，Ｓ３とを有する構成となっている。また、ＱＲコードＱ１は、通常のＱＲコード（登録商標）の一部の領域の透過率を調整し、かつ透過率を調整した領域以外の領域を重畳させるデザインの背景色と同様の色を設定、またはカメラ装置でこのカラーＱＲコードＱ１が読み取れる程度のコントラストを有するような色に設定することで生成することができる。なお、ここでのボックス用カバー５の表面の特定の印刷領域Ｐ１に設定されている色Ｂは、カラーであるが、有彩色であっても、無彩色であってもよい。
【００５６】
なお、識別情報部４０の例としては、通常のＱＲコード（登録商標）や上述の図７で説明したカラーＱＲコードＱ１を示したが、これらに限定されない。たとえばＱＲコード以外の２次元コード（たとえばＤａｔａ Ｍａｔｒｉｘ、ＰＤＦ４１７など）、カラーのバーコードなどの１次元コード、電子透かし、ＩＣタグなどを識別情報部４０として構成してもよい。識別情報部４０を電子透かしで構成する場合には、物品の表面にデザインされるデジタルデータに識別情報を埋め込むことで実現することができる。なお、ここでいう電子透かしは、人間が知覚できるタイプと知覚できないタイプのいずれであってもよい。
【００５７】
また、上述の実施の形態のコンテンツ提供サーバ２が提供するコンテンツがティッシュボックス４に関連する広告コンテンツデータである場合、この広告コンテンツデータがスマートフォン３で出力された回数に応じて広告主に対して課金するような構成としてもよい。なお、課金単位は広告コンテンツデータの出力回数ではなく、スマートフォン３へのダウンロード回数などに設定されていてもよい。なお、ティッシュボックス４に関連しない広告であっても、この情報提供システム１を利用したい広告主がいる場合にはコンテンツ提供サーバ２が提供する広告コンテンツデータとして採用してもよい。
【符号の説明】
【００５８】
１…情報提供システム、２…コンテンツ提供サーバ（情報提供装置の一例）、３…スマートフォン（情報表示端末の一例）、４…ティッシュボックス（物品の一例）、５…ボックス用カバー（物品カバーの一例）、読取部３１、３３…識別情報記憶部、３４…デザイン特定部、３５…通信部、３６…情報取得制御部、３７…情報表示制御部、４０…識別情報部
【図１】
2015127892.tif 000003
【図２】
2015127892.tif 000004
【図３】
2015127892.tif 000005
【図４】
2015127892.tif 000006
【図５】
2015127892.tif 000007
【図６】
2015127892.tif 000008
【図７】
2015127892.tif 000009